(57)【特許請求の範囲】
【請求項１】
壁等の被取付体に取り付けられる取付基体に、接続具を介してアームを回動可能に軸支して略垂直の収納状態と前方に突出する使用状態に設定することができる掛止装置であって、接続具は、一端部を取付基体の下部に軸支すると共に、他端部をアームの下部に軸支して成り、アームが使用状態から回動して略垂直の収納状態に移行する時に、アームと取付基体との間に指等の異物が挟まると、アームを軸支している接続具の他端部が取付基体から前方に突出して、取付基体とアームの間に隙間ができるように構成したことを特徴とする掛止装置。
【発明の詳細な説明】
【技術分野】
【０００１】
本発明は、壁や柱等の被取付体に取り付けられる取付基体に、アームを回動可能に設けて略垂直の収納状態と前方に突出する使用状態に設定することができる掛止装置に関するものである。
【背景技術】
【０００２】
この種の掛止装置として、特開２００５−４６５８６号公報に記載された発明が提案されており、これは、壁や柱等の取付対象Ｗに固定するための取付部材１と、該取付部材１に起倒自在に連結され、先端部にハンガーＨを吊り掛けるための吊掛部３を有する吊掛アーム２と、これらの取付部材１と吊掛アーム２とに両端を連結され、該吊掛アーム２がハンガー吊掛位置Ａに延出したときの延出角度を規定する引張部材４とを有する折り畳み式ハンガー掛けである。
【先行技術文献】
【特許文献】
【０００３】
【特許文献１】特開２００５−４６５８６号公報
【発明の概要】
【発明が解決しようとする課題】
【０００４】
上記従来例においては、吊掛アーム２が取付部材１に対して斜め上向きに延出している使用状態から、吊掛アーム２を上方へ回動して折り畳んで収納する時に、取付部材１と吊掛アーム２との軸支部に近いところに誤って指を挟んだ場合に、大きな力がかかって怪我をしてしまうという問題があり、本発明は、この問題を解決することが課題である。
【課題を解決するための手段】
【０００５】
本発明は、上記の課題を解決するために、壁等の被取付体に取り付けられる取付基体に、接続具を介してアームを回動可能に軸支して略垂直の収納状態と前方に突出する使用状態に設定することができる掛止装置であって、接続具は、一端部を取付基体の下部に軸支すると共に、他端部をアームの下部に軸支して成り、アームが使用状態から回動して略垂直の収納状態に移行する時に、アームと取付基体との間に指等の異物が挟まると、アームを軸支している接続具の他端部が取付基体から前方に突出して、取付基体とアームの間に隙間ができるように構成したことを特徴とするものである。
【発明の効果】
【０００６】
以上のように本発明によれば、アームを折り畳んで収納する時に、誤って指を挟んでも取付基体とアームとの間に隙間ができて大きな力がかかることがなく、怪我をしにくいという効果がある。
【図面の簡単な説明】
【０００７】
【図１】使用状態を示す斜視図である。
【図２】収納状態を示す斜視図である。
【図３】指を挟んだ状態を示す側面図である。
【図４】アームを少し前方へ回動させた状態を示す斜視図である。
【図５】取付基体の内部を見せるために一部切り欠いた使用状態を示す斜視図である。
【図６】アームの内部を見せるために一部切り欠いた使用状態を示す斜視図である。
【図７】使用状態を示す縦断面図である。
【図８】収納状態を示す縦断面図である。
【図９】アームを少し前方へ回動させた状態を示す縦断面図である。
【図１０】全体の分解斜視図である。
【実施例１】
【０００８】
本実施例の掛止装置は、壁や柱等の被取付体Ｗに取り付けられる取付基体１に、アーム２の下端を接続具８を介して間接的に回動可能に取り付け、連繋具５でアーム２を斜め上向きの使用状態に保持することができるものである。
【０００９】
取付基体１は、断面略コ字状の縦長部材で、その上下両端部にはそれぞれ上エンドピース２０と下エンドピース２１がねじ止めされて取り付けられ、中間部には下向きコ字状のばね受け具９が取り付けられている。
【００１０】
取付基体１の上エンドピース２０は、縦長で上部に係合部３２を設け、中間部に円形ピンの転換具１０を取り付けてあり、取付基体１の下エンドピース２１は、上部に倒Ｕ字状凹部の軸受部３１を設けてある。
【００１１】
また取付基体１には、上エンドピース２０と下エンドピース２１との間に、ばね受け具９を覆うように断面略コ字状の縦長部材である繋止具６が収容され、さらにその前面には、上エンドピース２０と下エンドピース２１との間に断面略コ字状の縦長部材である蓋具１７が取り付けられており、この蓋具１７は、その上部を上エンドピース２０の下部にねじ止めして、繋止具６を覆うように設け、その下部には一対の軸受孔３０・３０を設けてあり、この一対の軸受孔３０・３０に挿入される軸２５が下エンドピース２１の軸受部３１に支持される。また、蓋具１７の前面板には、中間部に矩形孔の表示窓１８及び表示窓１９を上下に設けてある。
【００１２】
アーム２は、回動アーム４の中に伸縮アーム３を摺動可能に収容して構成されており、伸縮アーム３には、上端部に掛止具１１が取り付けられると共に下端部に端部キャップ３３が取り付けられ、回動アーム４には、上部に矩形の導入孔３９を設けて転換具１２が取り付けられると共に、下端部には軸支具２３が取り付けられている。
【００１３】
掛止具１１には物干竿等を掛止する略コ字状の掛止部２２を設けると共に、その上端部には係合部３２に係止される係止部１６を設け、軸支具２３には一対の軸受孔２７・２７を設けてある。引張ばね２４が、軸支具２３を通って両端を掛止具１１に固定されており、伸縮アーム３は、この引張ばね２４によって、回動アーム４に対して縮む方向に付勢されている。
【００１４】
繋止具６は、取付基体１に対して摺動可能であり、下端部に取り付けたばね受キャップ１５と取付基体１に固定されたばね受け具９との間に圧縮ばね７を配設して下方へ付勢されており、また、その上部には連繋具５を繋いである。そして、繋止具６の前面板には、上から順に、黄色の表示部３４、赤色の表示部３５、表示のない部分を挟んで、黄色の表示部３６、赤色の表示部３７及び赤色の表示部３８をそれぞれ一定幅を持って設けてある。
【００１５】
連繋具５は、ベルト状で一端が取付基体１の中の繋止具６に繋がり、取付基体１の上部に取り付けた上エンドピース２０から転換具１０によって前方に導き出され、回動アーム４の上部から入って転換具１２によって下方へ導かれて、他端が伸縮アーム３の下部に繋がっている。
【００１６】
接続具８は、上下部に軸受孔２８及び軸受孔２９をそれぞれ設けてあり、上部の軸受孔２８には、蓋具１７の一対の軸受孔３０・３０と合わせて軸２５を挿通して軸支し、下部の軸受孔２９には、軸支具２３の一対の軸受孔２７・２７と合わせて軸２６を挿通して軸支する。そして、上述のように軸２５の両端部は、軸受孔２８及び一対の軸受孔３０・３０の外方に突出し、下エンドピース２１の軸受部３１に軸支されている。
【００１７】
本実施例の掛止装置は、取付基体１を取付ねじ１３・１４で壁や柱等の被取付体Ｗに固定して使用するもので、２つを１組として間隔をおいて設置し、掛止部２２・２２に物干竿を掛け渡してもいいし、１つでピンチハンガー等を掛けて使用してもいい。
【００１８】
図２及び図８に示すように、掛止具１１の係止部１６が上エンドピース２０の係合部３２に係合して、アーム２が取付基体１に平行に一部重なり合うようにコンパクトに収納された状態から、アーム２を少し前方へ回動させると、余っていた連繋具５が伸ばされた状態（図４及び図９参照）となり、物干竿を掛け渡したままの状態で維持することができる。
【００１９】
この状態から、さらに回動アーム４を前下方へ回動させると、連繋具５が回動アーム４から繰り出され、引張ばね２４の力に抗して伸縮アーム３が持ち上げられて上方に伸びていき、下端部の端部キャップ３３が転換具１２に当接して、伸縮アーム３が最も長く伸びて、アーム２全体が斜め上向きの使用状態（図１及び図７参照）となる。この状態では、接続具８が少し前方へ回動した状態となっている。
【００２０】
この使用状態で掛止部２２に荷重がかかると、繋止具６が圧縮ばね７に抗して上方へ移動していき、予め設定した荷重を超えると、取付基体１に取り付けられた蓋具１７の表示窓１８・１９から表示部３４〜表示部３８が表れて、荷重がかかりすぎていることを３段階で警告するようになっている。
【００２１】
すなわち、まず黄色の表示部３６が下の表示窓１９に表れ、かかる荷重がより大きくなると、上の表示窓１８に黄色の表示部３４が表れると共に下の表示窓１９に赤色の表示部３７が表れ、さらにかかる荷重がより大きくなると、上の表示窓１８に赤色の表示部３５が表れると共に下の表示窓１９に赤色の表示部３８が表れるようになっている。
【００２２】
使用状態からアーム２を収納するには、回動アーム４を上方へ回動して折り畳めば、伸縮アーム３が連繋具５と共に引張ばね２４の力によって回動アーム４の中へ収納されていき、掛止具１１の係止部１６が上エンドピース２０の係合部３２に係合して、アーム２が取付基体１に平行に一部重なり合う収納状態に保持される。
【００２３】
そして、アーム２が使用状態から回動して略垂直の収納状態に移行しようとする時に、図３に示すように、アーム２と取付基体１との間に異物が挟まると、アーム２を軸支している接続具８の下方部が取付基体１から前方に突出して、取付基体１とアーム２の間に隙間ができるようになっており、万が一指を挟んだとしても、指に大きな力がかかることがなく怪我をしにくいようになっている。
【符号の説明】
【００２４】
１    取付基体
２    アーム
８    接続具
【図１】
0005590675.tif 000002
【図２】
0005590675.tif 000003
【図３】
0005590675.tif 000004
【図４】
0005590675.tif 000005
【図５】
0005590675.tif 000006
【図６】
0005590675.tif 000007
【図７】
0005590675.tif 000008
【図８】
0005590675.tif 000009
【図９】
0005590675.tif 000010
【図１０】
0005590675.tif 000011